(57)【特許請求の範囲】
【請求項１】
前後方向に離間して配置された第１モータ及び第２モータと、
前記第１モータ及び前記第２モータへ電力を供給する高電圧装置と、
前記高電圧装置の電力を前記第１モータ及び前記第２モータへ供給する際に電力を変換する電力変換機器と、を備える、車両であって、
前記電力変換機器は、前後方向において前記第１モータと前記第２モータとの間に配置されており、
前記電力変換機器は、左右方向に長い直方体形状を有し、
前記電力変換機器には、
前後方向一方側の側面に前記第１モータと前記電力変換機器とを電気的に繋ぐ三相線が接続される第１コネクタ部が設けられ、
左右方向一方側の側面に前記第２モータと前記電力変換機器とを電気的に繋ぐ三相線が接続される第２コネクタ部が設けられ、
左右方向他方側の側面からさらに他方側に延びる突出部が設けられ、
前記電力変換機器に対し、前後方向他方側に、前記電力変換機器に隣接するように前記高電圧装置が設けられ、
前記突出部には、前後方向他方側の側面に、前記高電圧装置に接続される高圧線が接続される高圧線コネクタ部が設けられている、車両。
【請求項２】
請求項１に記載の車両であって、
前記電力変換機器には、左右方向一方側の前記側面に、電力変換機器制御装置と前記電力変換機器とを電気的に繋ぐ制御用ハーネスが接続される制御用ハーネスコネクタ部が設けられている、車両。
【請求項３】
請求項１又は２に記載の車両であって、
前記高圧線コネクタ部は、低圧系機器に接続される出力ケーブル用コネクタ部と一体に形成されている、車両。
【発明の詳細な説明】
【技術分野】
【０００１】
本発明は、モータ動力で走行する車両に関する。
【背景技術】
【０００２】
モータ動力で走行するハイブリッド車両、電気自動車などの車両は、通常、モータへ電力を供給する高電圧装置（例えば、高圧バッテリ）と、該高電圧装置の電力をモータへ供給する際に電力を変換する電力変換機器（例えば、インバータ）と、を備えている。例えば、特許文献１には、車両前部にモータ及び電力変換機器を備え、車両後部に高電圧装置を備えたハイブリッド車両が記載されている。また、特許文献２には、車両前部にモータを備え、車両後部に高電圧装置及び電力変換機器を備えたハイブリッド車両が記載されている。
【先行技術文献】
【特許文献】
【０００３】
【特許文献１】特開２０１１−６８１８７号公報
【特許文献２】特開２００４−１４８８５０号公報
【発明の概要】
【発明が解決しようとする課題】
【０００４】
この種の車両では、高電圧装置と電力変換機器とを電気的に接続する高圧線、電力変換機器とモータとを電気的に接続する三相線などの配線類が配索されるが、これらの配線類は、その長さに応じてコストが嵩むだけでなく、配索作業が煩雑になるという問題がある。特に、車両前後方向に離間して配置された第１モータ（例えば、後輪駆動用モータ）及び第２モータ（例えば、前輪駆動用モータ）を備える車両（例えば、４輪駆動式のハイブリッド車両や電気自動車）では、配線類の本数が増加するのに伴い、配線類が他の装置の配置に影響を及ぼす虞もあった。
【０００５】
本発明の目的は、車両前後方向に離間して配置された第１モータ及び第２モータを備えるものでありながら、第１モータ及び第２モータに接続される三相線を短縮しつつ、電力変換機器の隣接位置に他の装置の配置スペースを確保できる車両を提供することである。
【課題を解決するための手段】
【０００６】
上記の目的を達成するために、請求項１に記載の発明は、
前後方向に離間して配置された第１モータ（例えば、後述の実施形態の後輪駆動用モータ６Ｌ、６Ｒ）及び第２モータ（例えば、後述の実施形態の前輪駆動用モータ５）と、
前記第１モータ及び前記第２モータへ電力を供給する高電圧装置（例えば、後述の実施形態のバッテリユニット２０、高圧バッテリ２２）と、
前記高電圧装置の電力を前記第１モータ及び前記第２モータへ供給する際に電力を変換する電力変換機器（例えば、後述の実施形態の電力変換ユニット３０、インバータ３２）と、を備える、車両（例えば、後述の実施形態の車両１）であって、
前記電力変換機器は、前後方向において前記第１モータと前記第２モータとの間に配置されており、
前記電力変換機器は、左右方向に長い直方体形状を有し、
前記電力変換機器には、
前後方向一方側の側面（例えば、後述の実施形態の後面３０ａ）に前記第１モータと前記電力変換機器とを電気的に繋ぐ三相線（例えば、後述の実施形態の後部三相ケーブル５３Ｌ、５３Ｒ）が接続される第１コネクタ部（例えば、後述の実施形態の後部三相ケーブルコネクタ３６Ｌ、３６Ｒ）が設けられ、
左右方向一方側の側面（例えば、後述の実施形態の左側面３０ｂ）に前記第２モータと前記電力変換機器とを電気的に繋ぐ三相線（例えば、後述の実施形態の前部三相ケーブル５２）が接続される第２コネクタ部（例えば、後述の実施形態の前部三相ケーブルコネクタ３５）が設けられ、
左右方向他方側の側面（例えば、後述の実施形態の右側面３０ｃ）からさらに他方側に延びる突出部（例えば、後述の実施形態の突出部３１ａ）が設けられ、
前記電力変換機器に対し、前後方向他方側に、前記電力変換機器に隣接するように前記高電圧装置が設けられ、
前記突出部には、前後方向他方側の側面（例えば、後述の実施形態の前面３０ｄ）に、前記高電圧装置に接続される高圧線（例えば、後述の実施形態の直流ケーブル５１）が接続される高圧線コネクタ部（例えば、後述の実施形態の直流ケーブルコネクタ３４）が設けられている。
【０００７】
請求項２に記載の発明は、
請求項１に記載の車両であって、
前記電力変換機器には、左右方向一方側の前記側面に、電力変換機器制御装置と前記電力変換機器とを電気的に繋ぐ制御用ハーネスが接続される制御用ハーネスコネクタ部（例えば、後述の実施形態の制御用ハーネスコネクタ３８）が設けられている。
【００１０】
請求項３に記載の発明は、
請求項１又は２に記載の車両であって、
前記高圧線コネクタ部は、低圧系機器に接続される出力ケーブル用コネクタ部と一体に形成されている。
【発明の効果】
【００１１】
請求項１に記載の発明によれば、電力変換機器は、前後方向において第１モータと第２モータとの間に配置されるので、電力変換機器から第１モータ及び第２モータへ延びる三相線を短縮できる。また、電力変換機器には、前後方向一方側の側面に第１モータと電力変換機器とを電気的に繋ぐ三相線が接続される第１コネクタ部が設けられ、左右方向一方側の側面に第２モータと電力変換機器とを電気的に繋ぐ三相線が接続される第２コネクタ部が設けられるので、前後方向他方側の左右方向に長い領域に、他の装置を配置するスペースを確保することができる。
また、前後方向他方側の左右方向に長い領域に設けられたスペースに高電圧装置を配置することができる。これにより、高電圧装置と電力変換機器とが前後方向に隣り合うように配置され、衝突対策を一箇所に集約できるので、これら高電圧装置と電力変換機器とを離間して配置する場合に比べて、車両構造を簡素化できる。さらに高電圧装置と電力変換機器とを繋ぐ高圧線を最短化できる。
さらに、高圧線コネクタ部は、第１コネクタ部及び第２コネクタ部と異なる位置に配置されるので、誤組み付けを防止できる
【００１２】
請求項２に記載の発明によれば、電力変換機器の左右方向一方側の側面に、第２コネクタ部及び制御用ハーネスコネクタ部が集約されるので、配線類の配索作業を簡易化できる。
【００１５】
請求項３に記載の発明によれば、高圧線コネクタ部に低圧系機器に接続される出力ケーブル用コネクタ部が一体となっているので、配線類の配索作業をより簡易化できる。
【図面の簡単な説明】
【００１６】
【図１】本発明の一実施形態に係る車両の主な構成要素の配置を示す概略平面図である。
【図２】図１の車両の高圧系機器配設部を示す前後方向に沿った概略断面図である。
【図３】図１の車両の高圧系機器配設部、燃料タンク及び後輪駆動用モータを示す底面図である。
【図４】本発明の一実施形態に係る電力変換ユニットのケーブル接続状態を示す斜視図である。
【図５】本発明の一実施形態に係る電力変換ユニットを示す斜視図である。
【図６】本発明の一実施形態に係る電力変換ユニットを別の方向から見た斜視図である。
【図７】本発明の一実施形態に係る後部三相ケーブルを示す平面図である。
【図８】図７のＡ−Ａ線断面図である。
【発明を実施するための形態】
【００１７】
＜車両＞
以下、本発明の一実施形態の車両について、図面を参照して説明する。なお、図面は符号の向きに見るものとし、以下の説明において、前後、左右、上下は、運転者から見た方向に従い、図面に車両の前方をＦｒ、後方をＲｒ、左側をＬ、右側をＲ、上方をＵ、下方をＤ、として示す。
【００１８】
図１〜図３に示すように、本実施形態の車両１は、前輪２及び後輪３を駆動させるための構成として、前輪２を駆動させるエンジン４及び前輪駆動用モータ５と、左側の後輪３を駆動させる左後輪駆動用モータ６Ｌと、右側の後輪３を駆動させる右後輪駆動用モータ６Ｒと、モータ５、６Ｌ、６Ｒに電力を供給するバッテリユニット２０と、バッテリユニット２０の電力をモータ５、６Ｌ、６Ｒに供給する際に電力を変換する電力変換ユニット３０と、エンジン４の燃料を貯留する燃料タンク７と、エンジン４の排気を車両１の後部まで導く排気パイプ４ａと、を備える。エンジン４及び前輪駆動用モータ５は車両前方のエンジンルームに配置され、後輪駆動用モータ６Ｌ、６Ｒ及び燃料タンク７は車両後方のフロアパネル１２下に配置され、排気パイプ４ａがエンジン４から後方に燃料タンク７の右側を通った後分岐して、後輪駆動用モータ６Ｌ、６Ｒの左右を通ってさらに後方に延びている。
【００１９】
バッテリユニット２０は、平面視で左右方向に長い直方体形状の筐体２１と、筐体２１に収容され、モータ５、６Ｌ、６Ｒに電力を供給する複数の高圧バッテリ２２と、高圧バッテリ２２を冷却する冷却機構（図示せず）と、を備える。
【００２０】
高圧バッテリ２２は、管理温度が低い被冷却機器であり、外気温（排気パイプ４ａによる温度上昇を含む）の影響を受け易い。バッテリユニット２０の冷却機構は、管理温度が低い被冷却機器の冷却に適した空冷式であり、車室１１内の空気（本実施形態では、車室１１内の空気を調和させる空調装置８の吐出冷気）で高圧バッテリ２２を冷却させる。
【００２１】
電力変換ユニット３０は、平面視で左右方向に長い直方体形状の筐体３１と、筐体３１に収容され、バッテリユニット２０の電力をモータ５、６Ｌ、６Ｒに供給する際に電力を変換する複数のインバータ３２と、バッテリユニット２０の電力を空調装置８、低圧バッテリ（図示せず）などへ供給するために電圧を変換するＤＣ−ＤＣコンバータ３３と、インバータ３２及びＤＣ−ＤＣコンバータ３３を冷却する冷却機構（図示せず）と、を備える。
【００２２】
インバータ３２及びＤＣ−ＤＣコンバータ３３は、高圧バッテリ２２に比べて管理温度が高い被冷却機器であり、外気温の影響は小さい。電力変換ユニット３０の冷却機構は、管理温度が高い被冷却機器の冷却に適した水冷式であり、ラジエータ９から供給される冷却水でインバータ３２及びＤＣ−ＤＣコンバータ３３を冷却させる。
【００２３】
図１及び図２に示すように、バッテリユニット２０及び電力変換ユニット３０は、車両１の中心部に確保された高圧系機器配設部Ｓに集中配置されている。具体的には、前後方向において前輪駆動用モータ５と後輪駆動用モータ６Ｌ、６Ｒとの間に高圧系機器配設部Ｓを確保し、ここにバッテリユニット２０と電力変換ユニット３０とを前後方向に隣り合うように配置している。高圧系機器配設部Ｓと後輪駆動用モータ６Ｌ、６Ｒとの間には、燃料タンク７が設けられている。
【００２４】
図２に示すように、バッテリユニット２０は、車室１１内に配置されている。具体的には、バッテリユニット２０が、フロアパネル１２の車室１１側に設けられる凹部１２ａに収納されている。車室１１内に配置されたバッテリユニット２０は、車室１１内の空気を調和する空調装置８の吐出冷気でバッテリユニット２０内の高圧バッテリ２２が冷却される。
【００２５】
一方、電力変換ユニット３０は、車室１１外に配置されている。具体的には、電力変換ユニット３０が、バッテリユニット２０の後方、且つ、フロアパネル１２の下方に配置されている。車室１１外に配置された電力変換ユニット３０は、ラジエータ９から車室１１外を経由して供給される冷却水で電力変換ユニット３０内のインバータ３２及びＤＣ−ＤＣコンバータ３３が冷却される。
【００２６】
フロアパネル１２には、車室１１外側にフロアパネル１２を補強するセンタクロスメンバ１３とリアクロスメンバ１４とが設けられ、それぞれフロアパネル１２とともに閉断面を形成することでフロアパネル１２の剛性が確保されている。センタクロスメンバ１３は、バッテリユニット２０と電力変換ユニット３０との間に位置し、リアクロスメンバ１４は電力変換ユニット３０と燃料タンク７との間に位置している。
【００２７】
バッテリユニット２０と電力変換ユニット３０とは、フロアパネル１２を挟んで車室１１内と車室１１外にそれぞれ配置されるとともに、高さ方向にオーバーラップするように配置されている。バッテリユニット２０と電力変換ユニット３０の上面は、略同じ高さであり、後方に配置される燃料タンク７の上面よりも低くなっている。したがって、バッテリユニット２０を車室１１内に配置しても、バッテリユニット２０が車室１１内に張り出すことが抑制される。また、バッテリユニット２０と電力変換ユニット３０の底面も、略同じ高さであり、後方に配置される燃料タンク７の底面とも略同じ高さとなっており、下方への張り出しも抑制されている。
【００２８】
＜電力変換ユニットのコネクタ配置＞
つぎに、電力変換ユニット３０のコネクタ配置について、図３〜図６を参照して説明する。
【００２９】
図３〜図６に示すように、電力変換ユニット３０と他の機器との電気的な接続は、すべてコネクタを介して行われる。電力変換ユニット３０が備えるコネクタには、直流ケーブルコネクタ３４、前部三相ケーブルコネクタ３５、後部三相ケーブルコネクタ３６Ｌ、３６Ｒ、空調用ケーブルコネクタ３７及び制御用ハーネスコネクタ３８が含まれる。
【００３０】
直流ケーブルコネクタ３４は、直流ケーブル５１を介してバッテリユニット２０に接続され、バッテリユニット２０から供給される直流の高圧電力を複数のインバータ３２及びＤＣ−ＤＣコンバータ３３に入力する。電力変換ユニット３０の筐体３１は、その右側面３０ｃからさらに右方に延出する突出部３１ａを有しており、該突出部３１ａの前面３０ｄに直流ケーブルコネクタ３４が配置されている。そして、直流ケーブルコネクタ３４に接続された直流ケーブル５１は、１回目の曲げで電力変換ユニット３０の前面に沿ってセンタクロスメンバ１３の下方に配索され、２回目の曲げでセンタクロスメンバ１３の貫通孔１３ａ及びフロアパネル１２の貫通孔１２ｂを下方から貫通して車室１１内に至り、バッテリユニット２０に接続される。なお、センタクロスメンバ１３の貫通孔１３ａとフロアパネル１２の貫通孔１２ｂとは、平面視でオーバーラップしている。
【００３１】
本実施形態の直流ケーブルコネクタ３４は、ＤＣ−ＤＣコンバータ３３が変換した低圧の電力を低圧バッテリなどの低圧系機器に供給する低圧出力ケーブルコネクタと一体化されている。つまり、本実施形態の直流ケーブル５１には、バッテリユニット２０に接続される高圧直流線と、低圧系機器に接続される低圧直流線とが含まれており、直流ケーブルコネクタ３４に対する接続により、バッテリユニット２０の電力を電力変換ユニット３０に入力できるだけでなく、ＤＣ−ＤＣコンバータ３３が変換した低圧の電力を低圧バッテリなどの低圧系機器に出力することができる。
【００３２】
前部三相ケーブルコネクタ３５は、前部三相ケーブル５２を介して前輪駆動用モータ５に接続され、インバータ３２が変換した三相の電力を前輪駆動用モータ５に供給する。本実施形態の前部三相ケーブルコネクタ３５は、電力変換ユニット３０の左側面３０ｂに配置されている。そして、前部三相ケーブルコネクタ３５に接続された前部三相ケーブル５２は、１回目の曲げで前方を向きバッテリユニット２０の側方を通って車両１の前部に至り、２回目の曲げでバッテリユニット２０の前面に沿い、３回目の曲げで前輪駆動用モータ５に接続される。
【００３３】
後部三相ケーブルコネクタ３６Ｌ、３６Ｒは、一対の後部三相ケーブル５３Ｌ、５３Ｒを介して左右の後輪駆動用モータ６Ｌ、６Ｒに接続され、インバータ３２が変換した三相の電力を左右の後輪駆動用モータ６Ｌ、６Ｒに供給する。本実施形態の後部三相ケーブルコネクタ３６Ｌ、３６Ｒは、電力変換ユニット３０の後面３０ａの左右中央部に左右に並んで配置されている。そして、後部三相ケーブルコネクタ３６Ｌ、３６Ｒに接続された後部三相ケーブル５３Ｌ、５３Ｒは、後述する燃料タンク７の凹部７ａを通って車両１の後部に至り、後輪駆動用モータ６Ｌ、６Ｒに接続される。
【００３４】
空調用ケーブルコネクタ３７は、空調用ケーブル（図示せず）を介して空調装置８に接続され、ＤＣ−ＤＣコンバータ３３によって電圧が変換された電力を空調装置８に供給する。また、制御用ハーネスコネクタ３８は、制御用ハーネス（図示せず）を介してＥＣＵ（図示せず）に接続され、ＥＣＵとインバータ３２との間で制御信号の受け渡しを行う。本実施形態の空調用ケーブルコネクタ３７及び制御用ハーネスコネクタ３８は、電力変換ユニット３０の左側面３０ｂに前部三相ケーブルコネクタ３５とともに配置されており、コネクタ３５、３７、３８の集約によってケーブル類の配索作業が簡易化される。
【００３５】
＜後部三相ケーブルの配索＞
つぎに、一対の後部三相ケーブル５３Ｌ、５３Ｒの配索について、図３を参照して説明する。
【００３６】
図３に示すように、電力変換ユニット３０は、後輪駆動用モータ６Ｌ、６Ｒと対向する後面３０ａに左右の後部三相ケーブルコネクタ３６Ｌ、３６Ｒを備え、後輪駆動用モータ６Ｌ、６Ｒは、電力変換ユニット３０と対向する前面６ｃに左右の後部三相ケーブルコネクタ６ａ、６ｂを備える。電力変換ユニット３０の後部三相ケーブルコネクタ３６Ｌ、３６Ｒと、後輪駆動用モータ６Ｌ、６Ｒの後部三相ケーブルコネクタ６ａ、６ｂとを接続する一対の後部三相ケーブル５３Ｌ、５３Ｒは、電力変換ユニット３０と後輪駆動用モータ６Ｌ、６Ｒとの間に配置される燃料タンク７と底面視でオーバーラップしている。
【００３７】
燃料タンク７の底面には、上方に窪む凹部７ａが前後方向に沿って形成されている。一対の後部三相ケーブル５３Ｌ、５３Ｒの中間部は、燃料タンク７の凹部７ａ内に配置されることで、直線状に配索されるとともに燃料タンク７を利用して保護される。また、本実施形態では、燃料タンク７の車幅方向中央に凹部７ａを設けることで、側突時に後部三相ケーブル５３Ｌ、５３Ｒが受ける影響を低減している。
【００３８】
一対の後部三相ケーブル５３Ｌ、５３Ｒの中間部は、凹部７ａ内で高さ方向に並ぶように配置されるとともに、凹部７ａ内に設けられるブラケット７ｂで保持される。ブラケット７ｂは、一対の後部三相ケーブル５３Ｌ、５３Ｒを下側（裏側）から保持するケーブル保持部７ｃを有しており、仮に後部三相ケーブル５３Ｌ、５３Ｒが接地しそうになっても先にケーブル保持部７ｃが接地することで、後部三相ケーブル５３Ｌ、５３Ｒの損傷が抑制される。
【００３９】
電力変換ユニット３０に設けられる左右の後部三相ケーブルコネクタ３６Ｌ、３６Ｒと、後輪駆動用モータ６Ｌ、６Ｒに設けられる左右の後部三相ケーブルコネクタ６ａ、６ｂとは、いずれも凹部７ａに対し車幅方向に左右対称に配置されている。これにより、一対の後部三相ケーブル５３Ｌ、５３Ｒを同一構成とすることが可能となる。
【００４０】
＜後部三相ケーブル構造＞
つぎに、後部三相ケーブル５３Ｌ、５３Ｒの構造について、図７及び図８を参照して説明する。
【００４１】
図７及び図８に示すように、後部三相ケーブル５３Ｌ、５３Ｒは、防水機能を有するコネクタケーブルであり、それぞれが、電力変換ユニット３０の後部三相ケーブルコネクタ３６Ｌ、３６Ｒに接続される電力変換側コネクタ５３ａと、後輪駆動用モータ６Ｌ、６Ｒの後部三相ケーブルコネクタ６ａ、６ｂに接続されるモータ側コネクタ５３ｂと、電力変換側コネクタ５３ａとモータ側コネクタ５３ｂとを電気的に接続させる三相線５３ｃと、三相線５３ｃを覆うコルゲートチューブ５３ｄと、コネクタ５３ａ、５３ｂとコルゲートチューブ５３ｄとを気密的に接続するシール用グロメット５３ｅと、を備える。
【００４２】
このような防水機能を有する後部三相ケーブル５３Ｌ、５３Ｒでは、環境温度の変化や自己発熱によるコルゲートチューブ５３ｄ内の空気の膨張・圧縮によりコルゲートチューブ５３ｄやシール用グロメット５３ｅが損傷することを回避するために、コルゲートチューブ５３ｄ内の空間を呼吸可能に構成することが要求される。例えば、コルゲートチューブ５３ｄに呼吸用チューブ接続部５３ｆを設け、該呼吸用チューブ接続部５３ｆを介してコルゲートチューブ５３ｄ内の空間を呼吸可能に構成する。
【００４３】
本実施形態では、一対の後部三相ケーブル５３Ｌ、５３Ｒを呼吸可能に構成するにあたり、一対の後部三相ケーブル５３Ｌ、５３Ｒの呼吸構造を一体化することで、構造の簡略化を可能にしている。具体的には、一方の後部三相ケーブル５３Ｌのコルゲートチューブ５３ｄ内の空間と他方の後部三相ケーブル５３Ｒのコルゲートチューブ５３ｄ内の空間とを連通させるとともに、一方の後部三相ケーブル５３Ｌのコルゲートチューブ５３ｄに呼吸用チューブ接続部５３ｆを設け、該呼吸用チューブ接続部５３ｆを介して、両後部三相ケーブル５３Ｌ、５３Ｒのコルゲートチューブ５３ｄ内の空間を呼吸可能に構成している。
【００４４】
本実施形態では、一対の後部三相ケーブル５３Ｌ、５３Ｒのコルゲートチューブ５３ｄ内の空間を連通させるにあたり、一対の後部三相ケーブル５３Ｌ、５３Ｒのコルゲートチューブ５３ｄ同士を接続状態で保持する接続グロメット６１を利用している。接続グロメット６１は、一方の後部三相ケーブル５３Ｌのコルゲートチューブ５３ｄを気密的に外嵌状態で保持する第１保持部６１ａと、他方の後部三相ケーブル５３Ｒのコルゲートチューブ５３ｄを気密的に外嵌状態で保持する第２保持部６１ｂと、第１保持部６１ａと第２保持部６１ｂとを連結し、第１保持部６１ａの内部と第２保持部６１ｂの内部を連通させる連通部６１ｃと、を備える。一対の後部三相ケーブル５３Ｌ、５３Ｒのコルゲートチューブ５３ｄには、コルゲートチューブ５３ｄ内の空間を接続グロメット６１の連通部６１ｃに連通させる連通孔５３ｇが形成されており、接続グロメット６１を介して一対の後部三相ケーブル５３Ｌ、５３Ｒのコルゲートチューブ５３ｄ内の空間が連通されている。
【００４５】
＜電力変換ユニットの呼吸構造＞
つぎに、電力変換ユニット３０の呼吸構造について、図４を参照して説明する。
【００４６】
図４に示すように、電力変換ユニット３０には、電力変換ユニット３０内の電子機器収容空間を呼吸可能に構成するためのブリーザ室４０が設けられている。ブリーザ室４０は、ベントプラグ（図示せず）を介して電力変換ユニット３０内の電子機器収容空間に連通するとともに、呼吸ノズル４１を介して電力変換ユニット３０外の空間に連通している。
【００４７】
本実施形態では、車室１１の内外に亘って配索される直流ケーブル５１を利用してブリーザ室４０を車室１１内の空間に連通させている。直流ケーブル５１は、電力変換ユニット３０の直流ケーブルコネクタ３４に接続される電力変換側コネクタ５１ａと、バッテリユニット２０側に接続されるバッテリ側端子５１ｂａと、低圧系機器側に接続される低圧系機器側端子５１ｂｂと、電力変換側コネクタ５１ａとバッテリ側端子５１ｂ及び電力変換側コネクタ５１ａと低圧系機器側端子５１ｂｂを電気的に接続させる直流線５１ｃと、直流線５１ｃを覆うコルゲートチューブ５１ｄと、電力変換側コネクタ５１ａとコルゲートチューブ５１ｄとを気密的に接続するシール用グロメット５１ｅと、電力変換側コネクタ５１ａの近傍に設けられ、コルゲートチューブ５３ｄ内の空間に連通する呼吸用チューブ接続部５１ｆと、を備えており、呼吸用チューブ接続部５１ｆが、呼吸用チューブ４２を介してブリーザ室４０の呼吸ノズル４１に接続される。これにより、ブリーザ室４０は、呼吸用チューブ４２及び直流ケーブル５１内の空間を介して車室１１内の空間に連通される。
【００４８】
さらに、本実施形態では、電力変換ユニット３０のブリーザ室４０を利用して後部三相ケーブル５３Ｌ、５３Ｒのコルゲートチューブ５３ｄ内の空間を呼吸可能に構成している。具体的には、ブリーザ室４０に設けられる予備呼吸ノズル４３に対し呼吸用チューブ４４を介して後部三相ケーブル５３Ｌ、５３Ｒの呼吸用チューブ接続部５３ｆを接続し、後部三相ケーブル５３Ｌ、５３Ｒのコルゲートチューブ５３ｄ内の空間をブリーザ室４０、呼吸用チューブ４２及び直流ケーブル５１内の空間を介して車室１１内の空間に連通させている。
【００４９】
以上説明したように、本実施形態の車両１によれば、電力変換ユニット３０は、前後方向において前輪駆動用モータ５と後輪駆動用モータ６Ｌ、６Ｒとの間に配置されるので、電力変換ユニット３０から前輪駆動用モータ５及び後輪駆動用モータ６Ｌ、６Ｒに延びる三相ケーブル５２、５３Ｌ、５３Ｒを短縮できる。
【００５０】
また、電力変換ユニット３０には、後面３０ａに後輪駆動用モータ６Ｌ、６Ｒと電力変換ユニット３０とを電気的に繋ぐ後部三相ケーブル５３Ｌ、５３Ｒが接続される後部三相ケーブルコネクタ３６Ｌ、３６Ｒが設けられ、左側面３０ｂに前輪駆動用モータ５と電力変換ユニット３０とを電気的に繋ぐ前部三相ケーブル５２が接続される前部三相ケーブルコネクタ３５が設けられるので、電力変換ユニット３０の前側の左右方向に長い領域に、他の装置を配置するスペースを確保することができる。
【００５１】
そして、電力変換ユニット３０の前側の左右方向に長い領域には、バッテリユニット２０が配置されるので、バッテリユニット２０と電力変換ユニット３０とが前後方向に隣り合うように配置される。これにより、衝突対策を一箇所に集約できるので、これらバッテリユニット２０と電力変換ユニット３０とを離間して配置する場合に比べて、車両構造を簡素化できる。さらには、バッテリユニット２０と電力変換ユニット３０とを繋ぐ直流ケーブル５１も最短化することができる。
【００５２】
また、電力変換ユニット３０の左側面３０ｂには、前部三相ケーブルコネクタ３５だけでなく、制御用ハーネスコネクタ３８が配置されるので、前部三相ケーブルコネクタ３５及び制御用ハーネスコネクタ３８を集約し、配線類の配索作業を簡易化できる。
【００５３】
また、直流ケーブルコネクタ３４は、前部三相ケーブルコネクタ３５及び後部三相ケーブルコネクタ３６Ｌ、３６Ｒと異なる位置に配置されるので、誤組み付けを防止できる。
【００５４】
また、直流ケーブルコネクタ３４には、低圧系機器に接続される出力ケーブル用コネクタ部が一体となっているので、配線類の配索作業をより簡易化できる。
【００５５】
なお、本発明は、前述した実施形態に限定されるものではなく、適宜、変形、改良、等が可能である。
例えば、電力変換ユニット３０の前面に前輪駆動用モータ５と電力変換ユニット３０とを電気的に繋ぐ前部三相ケーブル５２が接続される前部三相ケーブルコネクタ３５が設けられ、電力変換ユニット３０の左側面３０ｂ又は右側面３０ｃに後輪駆動用モータ６Ｌ、６Ｒと電力変換ユニット３０とを電気的に繋ぐ後部三相ケーブル５３Ｌ、５３Ｒが接続される後部三相ケーブルコネクタ３６Ｌ、３６Ｒが設けられていてもよい。なお、後輪駆動用モータ６Ｌ、６Ｒは一つでもよい。
【符号の説明】
【００５６】
１  車両
５  前輪駆動用モータ（第２モータ）
６Ｌ、６Ｒ  後輪駆動用モータ（第１モータ）
２０  バッテリユニット（高電圧装置）
２２  高圧バッテリ（高電圧装置）
３０  電力変換ユニット（電力変換機器）
３１ａ  突出部
３２  インバータ（電力変換機器）
３４  直流ケーブルコネクタ（高圧線コネクタ部）
３５  前部三相ケーブルコネクタ（第２コネクタ部）
３６Ｌ、３６Ｒ  後部三相ケーブルコネクタ（第１コネクタ部）
３８  制御用ハーネスコネクタ（制御用ハーネスコネクタ部）
５１  直流ケーブル（高圧線）
５２  前部三相ケーブル（三相線）
５３Ｌ、５３Ｒ  後部三相ケーブル（三相線）
【図１】
0006706507.tif 000002
【図２】
0006706507.tif 000003
【図３】
0006706507.tif 000004
【図４】
0006706507.tif 000005
【図５】
0006706507.tif 000006
【図６】
0006706507.tif 000007
【図７】
0006706507.tif 000008
【図８】
0006706507.tif 000009